(57)【要約】【課題】処理能力以上の複数のＥＭＭ，ＥＣＭの復号処理が必要となったときは、自動的に同時録画するコンテンツ数に制限を与える。【解決手段】複数のチューナにより同時受信した複数チャンネの各コンテンツに含まれる各制御情報を取得し、前記コンテンツのスクランブル状態を解除するために、前記各制御情報内の各スクランブルキーを復号し、復号した前記各スクランブルキーで対応する前記各コンテンツをデスクランブルする。復号した前記複数のスクランブルキーをデスクランブルラにセットするまでの総合時間が、予め設定している時間を越えるような場合、いずれかの制御情報の復号処理を省略する。【選択図】      図１
2010011208.tif 000002
【特許請求の範囲】
【請求項１】
複数のチューナにより同時受信した複数チャンネの各コンテンツに含まれる各制御情報を取得し、前記コンテンツのスクランブル状態を解除するために、前記各制御情報内の各スクランブルキーを復号し、復号した前記各スクランブルキーで対応する前記各コンテンツをデスクランブルする多チャンネル受信装置であって、
復号した前記各スクランブルキーをデスクランブルラにセットするまでの総合時間が予め設定している時間を越えるものとして、設定した時間内に到来した前記各制御情報の数から計算された場合、いずれかの制御情報の復号処理を省略する監視部を有したことを特徴とする多チャンネル処理装置。
【請求項２】
前記監視部における前記総合時間は、前記各制御情報の取得時間、前記各制御情報内の各スクランブルキーの復号時間も含むことを特徴とする請求項１記載の多チャンネル処理装置。
【請求項３】
前記監視部は、復号処理を省略する前記制御情報に対して優先順位を設定していることを特徴とする請求項１記載の多チャンネル処理装置。
【請求項４】
前記監視部は、復号処理を省略する前記制御情報として視聴契約をしていないコンテンツに関する制御情報を選択することを特徴とする請求項１記載の多チャンネル処理装置。
【請求項５】
前記監視部は、復号処理を省略する前記制御情報として、衛星デジタル放送システムにより放送されるコンテンツに関する制御情報を選択することを特徴とする請求項１記載の多チャンネル処理装置。
【請求項６】
複数のチューナにより同時受信した複数チャンネの各コンテンツに含まれる各制御情報を取得し、前記コンテンツのスクランブル状態を解除するために、前記各制御情報内の各スクランブルキーを復号し、復号した前記各スクランブルキーで対応する前記各コンテンツをデスクランブルする多チャンネル受信方法であって、
復号した前記各スクランブルキーをデスクランブルラにセットするまでの総合時間が予め設定している時間を越えるものとして、設定した時間内に到来した前記各制御情報の数から計算された場合、いずれかの制御情報の復号処理を省略することを特徴とする多チャンネル処理方法。
【請求項７】
複数のチューナにより、複数チャンネルのトランスポートストリームを受信するテレビジョン受信装置において、
前記複数のチューナにより同時受信した複数チャンネの各コンテンツに含まれるデコードすべき各制御情報を取得し、取得した制御情報の数が所定数をオーバーした否かを判定する判定部と、
前記取得した制御情報の数が所定数をオーバーしているときは、優先順位に基づいて復号しない制御情報を決定する優先順位情報部と、
復号すべき各制御情報を復号し、対応するスクランブルキーを復号し、対応するデスクランブルに与える復号部と、
を有したことを特徴とするテレビジョン信号受信装置。
【発明の詳細な説明】
【技術分野】
【０００１】
この発明はデジタル放送信号を受信する装置として有効な多チャンネル処理装置及び処理方法及び受信装置に関する。
【背景技術】
【０００２】
地上波デジタル放送システム、衛星（ＢＳ／ＣＳ）デジタル放送システムでは、有料放送サービスの目的のため、もしくは無料放送においては著作権保護の目的のため、放送するコンテンツに対してスクランブルを施して送信している。このためにデジタル放送システムにおいては、有料放送においては契約者の受信装置のみが前記スクランブルを解除できるように、もしくは無料放送においては著作権保護を遵守する受信装置のみが前記スクランブルを解除できるように、制御情報を送信している。
【０００３】
制御情報としては、例えばＥＭＭ（Entitlement Management Message）、ＥＣＭ（Entitlement Control Message）などがある。ＥＭＭは、マスターキー（Ｋｍ）でワークキー（Ｋｗ）及び契約者情報を暗号化した情報である。ＥＣＭは前記ワークキー（Ｋｗ）でスクランブルキー（Ｋｓ）を暗号化した情報である。スクランブルキー（Ｋｓ）は、コンテンツをスクランブルしたキーである。
【０００４】
受信側では、上記ＥＭＭ，ＥＣＭを復号する機能を有する。このとき契約者の受信機が契約者情報を確認することができる。ＥＭＭが復号されるとき、受信機に備わるマスターキー（Ｋｍ）により、契約者の受信機であることが確認され、かつワークキー（Ｋｗ）が復号される。このワークキー（Ｋｗ）を用いて、ＥＣＭ内のスクランブルキー（Ｋｓ）が復号される。
【０００５】
そしてスクランブルキー（Ｋｓ）を用いてスクランブルドコンテンツのスクランブル状態が解除される。
【０００６】
一方、近年では受信したチャンネルのコンテンツをトランスポートストリーム（ＴＳ）の状態で自動的に録画する録画装置が開発されている。この録画装置は、記録技術、記録速度の向上及び記録メディアの発展により記憶容量が大きくなっている。それ故、利用者としては、複数のチューナを用意し、多チャンネルを同時受信し、複数のコンテンツを同時録画したいという要望がある。
【０００７】
そこで従来の受信装置において、複数のチューナを用意し、チューナの同時受信状態を形成し、多チャンネル受信で得た複数コンテンツを録画装置にて録画する試みがなされた。ここで複数コンテンツには、それぞれ独自のスクランブルがかかっているために、スクランブルを解除しなければならない。しかもデジタル放送システムにおける運用では、上記したＥＣＭ内のスクランブルキー（Ｋｓ）は、セキュリティーの低下を防止する目的から定期的に変更される。このために受信装置では、ＥＣＭを常時監視し、ＥＣＭの更新すなわちスクランブルキー（Ｋｓ）の変更があったときにそのＥＣＭの復号処理を実施する必要がある。
【０００８】
通常は上記したＥＭＭ，ＥＣＭの復号処理は、セキュリティーを上げるためにＩＣカードのチップ内で実行されている（特許文献１）。
【０００９】
ところが、多チャンネル受信で得た複数コンテンツを録画装置にて同時録画するためには、多数のＥＣＭを高速で復号する必要がある。しかしながらＩＣカードの動作速度には限界があるために、希望の数のＥＣＭを適切な時間内で復号することが不可能である。このような問題点を改善するために、特許文献１では、ＩＣカードを複数用意して多数のＥＣＭの処理を分散し、全体の復号処理時間を短縮している。
【００１０】
しかしながらＩＣカードの数を増加する考え方であると、さらにチャンネル数が多くなったときはさらにＩＣカードの数を増加しなければならない。このことは受信装置の物理的なカードインターフェースを増設することにつながる。また処理能力以上の複数コンテンツが到来したときに誤動作することが考えられる。
【特許文献１】特開２００７−２６６７３４号公報
【発明の開示】
【発明が解決しようとする課題】
【００１１】
本発明は、第１に多チャンネル受信で得た複数コンテンツを録画装置にて同時録画するが、処理能力以上の複数のＥＭＭ，ＥＣＭの復号処理が必要となったときは、自動的に同時録画するコンテンツ数に制限を与えることができる装置及び処理方法を提供することを目的とする。
【課題を解決するための手段】
【００１２】
この発明は上記の課題を解決するために、複数のチューナにより同時受信した複数チャンネの各コンテンツに含まれる各制御情報を取得し、前記コンテンツのスクランブル状態を解除するために、前記各制御情報内の各スクランブルキーを復号し、復号した前記各スクランブルキーで対応する前記各コンテンツをデスクランブルする多チャンネル受信装置であって、復号した前記各スクランブルキーをデスクランブルラにセットするまでの総合時間が、予め設定している時間を越えるものと、設定した時間内に到来した前記各制御情報の数から計算された場合、いずれかの制御情報の復号処理を省略する監視部を有したことを特徴とする。
【発明の効果】
【００１３】
上記の手段により、多チャンネル受信で得た複数コンテンツを録画装置にて同時録画するが、処理能力以上の複数のＥＭＭ，ＥＣＭの復号処理が必要となったときは、自動的に同時録画するコンテンツ数に制限を与えることができる。このために最小数の例えばＩＣカードを用いる受信装置を実現可能となる。
【発明を実施するための最良の形態】
【００１４】
以下図面を参照しこの発明の実施の形態を説明する。図１には、この発明が適用された例えば多チャンネル録画再生サーバ１０の構成例を示している。この装置は、チューナ装置１００として複数のチューナ部、例えば１０個のチューナ部１０１、１０２、１０３、・・・１１０を有し、同時に複数のチャンネルを受信することができる。チューナ部の数は一例であり、もっと多くても良いし、少なくてもよい。チューナ部１０１、１０２、１０３・・・１１０から出力された受信チャンネル、例えばＣＨ1-ＣＨ10のトランスポートストリームは、録画再生制御部２００と電子番組案内情報（ＥＰＧ)処理部３０１に送られる。このときセレクタ１２１を介して送られてもよい。またセレクタ１２１により、送出されるトランスポートストリームが制限されてもよい。
【００１５】
なおチューナ部１０１、１０２、１０３、・・・１１０の出力を選択するセレクタが設けられていてもよい。また、チューナ部１０１、１０２は、例えばＢＳ放送チューナ部、ＣＳ放送チューナ部であり、他は地上波デジタル放送チューナ部である。
【００１６】
上記の録画再生制御部２００は、番組信号に関する信号処理を行うもので、録画装置２１０に対する記録再生処理を実行する。なお、記録処理はチューナ部の数と同数のトランスポートストリームを全部行えることを目標としている。但し、後述するように処理能力の条件に応じて、記録処理があるトランスポートストリームに対して制限されることがある。
【００１７】
再生処理においては複数の録画コンテンツ（録画チャンネル）を同時に再生要求しても、各要求した録画コンテンツ（録画チャンネル）を再生できるように対策されている。このため録画装置２１０が例えばハードディスクドライブで構成される場合には、1つのハードディスクではなく、複数のハードディスクを組み合わせ使用することもある。この場合、例えばハードディスク１でＣＨ1、ＣＨ2のトランスポートストリームを記録再生、ハードディスク２でＣＨ3、ＣＨ4のトランスポートストリームを記録再生するなど分散処理させることで対応する。
【００１８】
また録画再生制御部２００は、受信したチャンネルの番組信号もしくは録画装置２１０からの再生信号を選択処理して、ＭＰＥＧデコーダ２１１に出力する。この場合、録画再生制御部２００は出力番組信号選択部４２１からの制御信号に基いて出力する番組信号を決定している。このように録画再生制御部２００から出力する番組信号は、チューナ装置１００からのリアルタイム放送の番組信号、または、録画装置２１０で再生された再生番組信号の場合がある。
【００１９】
ＭＰＥＧデコーダ２１１でデコードされた表示信号は、オンスクリーン表示処理部２１２、ネットワーク接続部（図示せず）を介して送信信号としてネットワークに送出される。そしてクライアントとしてのテレビジョン受信装置ＴＶ１にて受信され表示される。
【００２０】
３０１は、電子番組案内情報（ＥＰＧ)処理部であり、ＥＰＧメモリ３０２を接続されている。ＥＰＧメモリ３０２は各チャンネルの電子番組案内情報を例えば１週間分蓄積している。この図1の例は、例えば日本の地上デジタル放送のようにＣＨ1-ＣＨ4の各トランスポートストリームから各チャンネルのＥＰＧ情報を抽出する例を示しているが、ＢＳデジタル放送のように各チャンネルにＢＳ全チャンネルのＥＰＧ情報が多重されている場合もある。いずれにしても、電子番組案内情報（ＥＰＧ)処理部３０１、ＥＰＧメモリ３０２では多チャンネル受信装置で受信可能なチャンネル数分（図1の例では10チャンネル）のＥＰＧ情報を受信、抽出し、記憶するものとする。
【００２１】
ＥＰＧ処理部３０１は、操作入力に応じてＥＰＧメモリ３０２のＥＰＧ情報を読出し、オンスクリーン表示処理部２１２に供給する。このときは、表示を要求したクライアントの表示部の画面に例えば１週間分の番組案内を表示することができる。勿論、ＥＰＧ処理部３０１は、電子番組案内情報を常に新しい内容に更新するようにＣＨ1-ＣＨ4のトランスポートストリームからＥＰＧ情報を抽出し、ＥＰＧメモリ３０２に更新記憶する機能を備える。
【００２２】
５１１は、システムコントロール部であり、例えばリモートコントローラ受信部５１２からの操作入力を受け付けて、チャンネル選択、番組選択、録画番組の再生、レジューム情報の処理などを制御する。５１３はリモートコントローラである。
【００２３】
システムコントロール部５１１は、出力番組信号選択部４２１、配信処理部４２２などを含む。なお出力番組信号選択部４２１、配信処理部４２２などはシステムコントロール部５１１から独立して設けられていてもよい。出力番組信号選択部４２１は、利用者が番組表を参照し、リモートコントローラを介して番組出力を要求したときに、要求された番組信号が再生さされるように録画再生制御部を制御する。配信処理部４２２は、再生された番組信号を要求したクライアント（例えばテレビジョン受信装置ＴＶ１）のアドレスへ配信処理する。さらにこの多チャンネル録画再生サーバ１０ではクライアント管理部４２３を有する。クライアント管理部４２３は、このサーバに接続されているテレビジョン受信装置、他の録画装置などの識別情報、アドレスなど管理テーブルで管理している。
【００２４】
さらにシステムコントロール部５１１は、監視部４００を有する。この監視部４００は、ＩＣカード搭載部６００に搭載されるＩＣカードの処理能力を上回るような制御情報が到来したときに、任意のコンテンツに対する制御情報（ＥＣＭ）の復号を省略することができる。このために監視部４００はＥＣＭ数判定部４０１、制限ストリーム情報部４０２、及び制限優先順次情報部４０３を有する。ＥＣＭ数判定部４０１は、録画対象とする全ストリームの各ＥＣＭを認識し、トータルＥＣＭ数を把握している。ＥＣＭ数に応じて、ＥＣＭの中のスクランブルキーをデコードするとき、ＥＣＭ数の大小が総合的なデコード時間に影響を与えるからである（ここで使用しているデコードとは、暗号化されたＥＣＭの暗号復号化と、暗号復号化したＥＣＭからのスクランブルキーの抽出、という少なくとも２つの処理を含む処理である）。
【００２５】
すなわち、１つのＩＣカードで処理可能なデコード処理時間が決まっているため、ＥＣＭの数が多すぎると、スクランブルキーのデコード処理時間が足りない場合が生じる。このような場合には、いずれかの制御情報（ＥＣＭ）のスクランブルキーのデコードを諦める必要がある。いずれのＥＣＭのスクランブルキーのデコードを諦めるのかを決めるために、予め制限優先順次情報部４０３に優先順位情報が格納されている。そして、取得した制御情報の数が所定数をオーバーしているときは、優先順位に基づいて復号しない制御情報を決定する。
【００２６】
上記の制限を行った場合、当然該当するストリームのコンテンツはデスクランブルできず、記録されないことになる。この記録されなかったコンテンツの情報を管理するために、制限ストリーム情報部４０２が設けられている。利用者の制限ストリーム情報部４０２の情報を確認することにより、録画されなかったストリームを確認することができる。
【００２７】
復号すべきＥＣＭは、時分割処理部４０４を介してＩＣカード６０１に入力され、復号部で復号される。
【００２８】
上記の多チャンネル録画再生サーバ１０は、基本的には各チューナ部１０１−１１０の出力の全てのチャンネルのストリームを録画装置２１０に記録することを目標としている。保存期間としては、例えば１週間分の全ての番組を保存し、順次新しい番組に更新することができる。なおチューナの数、保存期間は一例であり、さらにチューナ部の数が多くてもよく、また保存期間も長くてもよい。ＥＰＧメモリ３０２には、保存した番組に対応する番組案内表が構築される。
【００２９】
図２にはチューナ部１０１−１１０と、監視部４００と、ＩＣカード搭載部６００のＩＣカード６０１との関係を示している。アンテナ入力は、各選局部１ａ−１０ａで選局され、選局されたチャンネルのストリーム信号は、各分離部２ｂ−１０ｂと各デスクランブラ３ｃ−１０ｃに入力される。この各分離部２ｂ−１０ｂは、デコーダＩＤを参照して自己の受信装置宛の制御信号（ＥＣＭ）、制御信号（ＥＭＭ)を分離する。分離部１ｂ−１０ｂ分離された制御信号（ＥＣＭ)は、ＩＣカード６０１に入力されてＥＣＭ復号部で復号される。制御信号（ＥＣＭ）監視部４００の監視の基でＩＣカード６０１に入力される。まこのとき制御信号（ＥＭＭ)は、分離部６０３においてカードＩＤを用いて当該カードＩＤのＥＣＭのみ分離されてＩＣカードに入力され、ＥＭＭ復号部６０１ｂで復号される。なお分離部６０３、カードＩＤメモリ６０２は、ＩＣカード６０１の内部に構築されていてもよい。
【００３０】
制御信号（ＥＣＭ）、制御信号（ＥＭＭ)の詳細は、例えば、電波産業界（ARIB）標準規格（STD  B-25）デジタル放送におけるアクセス制御方式の第1部、第3章、関連情報サブシステムに記載のＥＣＭ、ＥＭＭである。
【００３１】
ＩＣカード６０１内では、制御信号（ＥＣＭ,ＥＭＭ）を用いてスクランブルキーＫｓが得られる。このスクランブルキーＫｓを利用して、デスクランブラ３ｃ−１０ｃでは、それぞれトランスポートストリーム中の映像、音声、データのスクランブルされたトランスポートストリームパケットがデスクランブルされて出力される。
【００３２】
ここで、ＩＣカード６０１の処理能力に限界があるために、チューナ数が多くなり、且つ制御信号（ＥＣＭ）数が多くなると、問題が生じる。
【００３３】
そこで、この発明では、予め設定した時間内に到来する制御情報の数から計算される、復号した各スクランブルキーをデスクランブルラにセットするまでの総合予定時間が、予め設定している時間を越える場合、いずれかの制御情報の復号処理を省略する制限を与える。この制限処理を実現する部分が監視部４００である。
【００３４】
この監視を行う背景には以下のような事情がある。スクランブルキーは有料放送サービスの目的のため、もしくは無料放送においては著作権保護の目的のために、コンテンツをスクランブルするための重要な鍵である。そのためにスクランブルキーは周期的に変更される。このためにスクランブルキーを暗号化して含むＥＣＭが更新されることになる。またＥＭＭも更新される。例えば、制御情報（ＥＣＭ）の更新周期は、例えば２秒周期である。ＥＣＭが更新されたことは例えばバージョン番号の変更により通知される。ＥＣＭの更新はスクランブルキー（Ｋｓ）の更新を意味している。よってスクランブルキー（Ｋｓ）を復号し、デスクランブラにセットする必要がある。多数のチャンネルのストリームのスクランブルを解除するためには、２秒より短い期間に各チャンネルのＥＣＭを復号し、スクランブルキーを準備する必要がある。
【００３５】
例えば、ARIB TR-B14  第五編  地上デジタルテレビジョン放送 限定受信方式(CAS)運用規定 及び受信機仕様によれば、ＥＣＭ，ＥＭＭの周期的な送信及び更新処理とデスクランブル処理を開始するタイミングとを考慮して、ＥＣＭ，ＥＭＭを処理するために、ＩＣカードを利用可能な制限時間が１６００ｍｓとなっている。また地上波放送を受信可能なチャンネル数として８チャンネルがあるものとする。さらに、ＥＣＭ，ＥＭＭが送出されてくるコマンド送出期間をＴ１，カード内処理時間をＴ２，レスポンス送出期間をＴ３とし、有料放送のためのＥＣＭ，無料放送のためのＥＣＭ、ＥＭＭの各Ｔ１，Ｔ２，Ｔ３が図３のような期間を必要とするものとする。また処理のためにＩＣカードに与えるクロック周波数は４ＭＨｚであるとする。
【００３６】
図３の例では地上放送の無料ＥＣＭを処理する時間は８０ｍｓである。しかし、処理能力が遅いＩＣカードのことを考慮にいれて、例えば、無料ＥＣＭを１つ処理する時間は１００ｍｓと設定する。
【００３７】
８チャンネルのストリーム全てを録画するためには、各チャンネルの無料ＥＣＭを復号処理する必要がある。８チャンネルの各ＥＣＭを復号する時間は、
８×１００ｍｓ＝８００ｍｓである。
【００３８】
さらに、１つのＥＭＭ、ＥＭＭメッセージを処理しなければならないとすると、２１０ｍｓが必要である。ＥＭＭはリアルタイム性の必要性が低いために、ＩＣカードを利用可能な制限時間が１６００ｍｓ内で１つ処理するものとした。すると全体では、
８００ｍｓ＋２１０ｍｓ＝１０１０ｍｓ
の時間が消費される。ＩＣカードを利用可能な制限時間は、１６００ｍｓであるから、利用時間として、
１６００ｍｓ−１０１０ｍｓ＝５９０ｍｓの余裕がある。
【００３９】
そこで、地上放送のストリームを８チャンネルまるごと録画した上で、さらに衛星（ＣＳ／ＢＳ）デジタル放送によるストリームも録画受信する余裕を見つけることができる。なお上記の時間は、各放送局のＥＣＭ送出タイミングの重なり、ずれなどを考慮し、略一定時間内に複数のＥＣＭが到達したことを想定している。ＩＣカードに対しては、各ＥＣＭを時分割で供給する。
【００４０】
衛星デジタル放送では、無料放送もあるが有料放送も混在することがある。有料放送の場合は、有料ＥＣＭを復号する必要があり、図３に示すように１つの有料ＥＣＭを復号するには１５２ｍｓが必要とされる。速度の遅いＩＣカードの場合はさらにプラスアルファの時間（１５２ｍｓ＋α）が必要である。
【００４１】
このことを考慮すると、５９０ｍｓの余裕では、衛星放送の１つ又は２つのチャンネル数を受信処理可能となる。これにより、地上波デジタル放送の８チャンネルのストリームのまるごと受信と、衛星デジタル放送の１乃至２チャンネルの受信が実現できる。
【００４２】
しかし、ここで衛星デジタル放送においては、図４に示すように、１つのストリームの中に有料、無料のコンテンツが混在することがある。また１つのストリームの中に複数のコンテンツ（サービス）が混在し、それぞれに独立してＥＣＭが付与されている場合がある。
【００４３】
このような場合には、上記したＩＣカードの処理能力のために、地上波デジタル放送の８チャンネルのストリームのまるごと受信に加えて、衛星デジタル放送の全てのサービスを受信することが不可能となる。
【００４４】
そこで、この発明の装置では、いずれかのＥＣＭの復号を制限し、このＥＣＭに含まれるデスクランブルキーによるデスクランブル処理を中止するものである。そしてＩＣカードの処理能力の範囲でまるごと録画および受信を実現する。
【００４５】
ここで、いずれのストリーム（サービス）の受信を制限し、いずれのストリーム（サービス）を許容するかを設定する必要がある。この設定は例えば以下のように設定され、制限優先順位情報部４０２に格納されている。ここでいう優先順位に基づく処理は以下の通りであり、それぞれ単独のルールで、もしくは組み合わせて使用する。
【００４６】
（例１）利用者が有料放送を契約しているときは、有料のストリームは維持し、無料放送のストリーム（サービス）に対して制限をする。
【００４７】
（例２）予め番組表などから録画して欲しい番組もしくはチャンネルの優先順位を利用者が設定する。
【００４８】
（例３）１つのストリームの中に複数のコンテンツ（サービス）が混在し、それぞれに独立してＥＣＭが付与されている場合、１つのストリームの中の１つだけ使用し、１つのストリームの中の残りのコンテンツ（サービス）は制限する。
【００４９】
ここで、受信制限が行なわれた場合、そのストリームの番組情報は、制限ストリーム情報部４０２に格納される。利用者は、例えばこの１週間でどのようなストリームが録画制限されたのかを表示部に表示して確認することができる。このために、装置が故障しているなどの誤解を無くすことができる。
【００５０】
上記の説明では、録画再生サーバ１０とテレビジョン受信装置ＴＶ１が独立しているものとして説明したが、マスターテレビジョン受信装置としてこれらが一体化されたものであってもよい。
【００５１】
図５は装置の動作例を示すフローチャートである。２秒毎にデコードすべきＥＣＭの抽出が行なわれる（ステップＳ１）。この抽出はＥＣＭ判定部４０１が兼ねている。そしてＥＣＭ数が所定数をオーバーしているかどうかの判定が行なわれる（ステップＳ２）。所定数をオーバーしているときは、優先順位に基づいて復号しないＥＣＭが決定され（ステップＳ３）、復号しないＥＣＭに関するストリームの情報（番組名など）が制限チャンネル情報部４０２に保存される（ステップＳ４）。
【００５２】
復号すべきＥＣＭはステップＳ５で復号され、これにともないスクランブルキー（Ｋｓ）も復号され、デスクランブラに設定される（ステップＳ６）。以後は、上記の処理が繰り替えされる。
【００５３】
この発明はチューナ内蔵のＨＤＤ（ハードディスクドライブ）レコーダー等にも適用可能であることは勿論である。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】この発明が適用された録画再生サーバの構成例を示す図である。
【図２】図１のチューナ部１０１−１１０と、監視部４００と、ＩＣカード搭載部６００のＩＣカード６０１との関係を示す図である。
【図３】クロック周波数は４ＭＨｚのもとで、ＥＣＭ，ＥＭＭが送出されてくるコマンド送出期間Ｔ１，カード内処理時間Ｔ２，レスポンス送出期間Ｔ３の例を示す説明図である。
【図４】得衛星デジタル放送におけるＥＣＭを伴ったサービスの例を示す説明図である。
【図５】本発明の装置の動作例を示すフローチャートである。
【符号の説明】
【００５６】
１０１−１１０・・・チューナ部、１２１・・・セレクタ、２００・・・録画再生制御部、２１０・・・録画装置、２１１・・・ＭＰＥＧデコーダ、２１２・・・オンスクリーン表示処理部、３０１・・・ＥＰＧ処理部、４００・・・監視部、４０１・・・ＥＣＭ数判定部、４０２・・・制限ストリーム情報部、４０３・・・制限優先順位情報部、４０４・・・時分割処理部、６００・・・ＩＣカード搭載部。
【図１】
2010011208.tif 000003
【図２】
2010011208.tif 000004
【図３】
2010011208.tif 000005
【図４】
2010011208.tif 000006
【図５】
2010011208.tif 000007